(57)【要約】      （修正有）【課題】小型、軽量で、可視光から近赤外光までの波長領域における色収差が良好に補正されたズームレンズ及びそれを有する撮像装置を実現する。【解決手段】物体側より順に負の屈折力の第１レンズ群Ｌ１、正の屈折力の第２レンズ群Ｌ２を有し、広角端より望遠端への変倍に際し、第１レンズ群は像側へ移動し、第２レンズ群は物体側へ移動し、第１レンズ群は、負レンズを正レンズよりも多い枚数を有し、第２レンズ群は、少なくとも１枚以上の、樹脂を材料として少なくとも１面に非球面を有す正レンズを有し、第２レンズ群は、少なくとも１枚以上負レンズを含み、各群の焦点距離と部分分散比に関する所定の条件式を満足する。【選択図】図１
2020204637.tif 000002
【特許請求の範囲】
【請求項１】
物体側より順に負の屈折力の第１レンズ群、正の屈折力の第２レンズ群を有し、
広角端より望遠端への変倍に際し、前記第１レンズ群は像側へ移動し、前記第２レンズ群は物体側へ移動し、
前記第１レンズ群は、負レンズを正レンズよりも多い枚数を有し、
前記第２レンズ群は、少なくとも１枚以上の、樹脂を材料として少なくとも１面に非球面を有す正レンズを有し、
前記第２レンズ群は、少なくとも１枚以上負レンズを含み、
前記第１レンズ群の焦点距離をｆ１、前記第２レンズ群の焦点距離をｆ２、前記第２レンズ群に含まれる負レンズの部分分散比をθｃｔ２ｎ、前記第２レンズ群に含まれる負レンズのアッベ数をνｄ２ｎとしたときに、下記の条件式（１）、（２）、（３）を満足することを特徴とするズームレンズ。
−１．５  ＜  ｆ１／ｆ２  ＜  −０．４０                        （１）
０．６  ＜  θｃｔ２ｎ  ＜  ０．７                            （２）
１５  ＜  νｄ２ｎ    ＜  ２５                              （３）
【請求項２】
前記第２レンズ群が有する前記樹脂レンズは、前記第２レンズ群内の最も物体側に配置され、前記樹脂レンズの焦点距離をｆ２ｐとしたときに、以下の条件式を満足することを特徴とする請求項１に記載のズームレンズ。
１．０  ＜  ｆ２ｐ／ｆ２  ＜  ２．５                            （４）
【請求項３】
前記第１レンズ群は、少なくとも１枚の正レンズを有し、前記正レンズのｄ線における屈折率をＮｄ１ｐ、前記正レンズのアッベ数をνｄ１ｐとしたときに、以下の条件式を満足することを特徴とする請求項１又は請求項２に記載のズームレンズ。
１．７  ＜  Ｎｄ１ｐ  ＜  ２．３                              （５）
１０  ＜  νｄ１ｐ  ＜  ３０                                （６）
【請求項４】
前記第１レンズ群は、物体側から順に、少なくとも２枚以上負レンズが連続して配置され、前記第１レンズ群の最も物体側の負レンズの焦点距離をｆ１１としたときに、以下の条件式を満足することを特徴とする請求項１乃至請求項３の何れか一項に記載のズームレンズ。
０．８  ＜  ｆ１１／ｆ１  ＜  １．５                        （７）
【請求項５】
前記第２レンズ群は、ガラスを材料とする正レンズを有し、前記ガラスレンズのｄ線における屈折率をＮｄ２ｐｇ、アッベ数をνｄ２ｐｇとしたときに、以下の条件式を満足することを特徴とする請求項１乃至請求項４の何れか一項に記載のズームレンズ。
１．５３  ＜  Ｎｄ２ｐｇ  ＜  １．８０                        （８）
５８  ＜  νｄ２ｐｇ  ＜  ８０                                （９）
【請求項６】
前記第２レンズ群に含まれる前記樹脂レンズのアッベ数をνｄ２ｐｐ、部分分散比をθｃｔ２ｐｐとしたときに、以下の条件式を満足することを特徴とする請求項１乃至請求項５の何れか一項に記載のズームレンズ。
１５  ＜  νｄ２ｐｐ  ＜  ７０                              （１０）
０．６０  ＜  θｃｔ２ｐｐ  ＜  ０．７５                    （１１）
【請求項７】
前記第１レンズ群の、最も物体側の面の頂点から最も像側の面の頂点までの距離をＬ１としたときに、以下の条件式を満足することを特徴とする請求項１乃至請求項６の何れか一項に記載のズームレンズ。
０．８  ＜  Ｌ１／｜ｆ１｜  ＜  １．５                      （１２）
【請求項８】
前記第１レンズ群の全てのレンズ材料の平均屈折率をＮｄ１ａｖｅとしたときに、以下の条件式を満足することを特徴とする請求項１乃至請求項７の何れか一項に記載のズームレンズ。
１．６  ＜  Ｎｄ１ａｖｅ  ＜  ２．１                        （１３）
【請求項９】
前記第２レンズ群は、少なくとも３枚以上の正レンズを有し、前記第２レンズ群のうち、前記樹脂レンズを除くすべてのガラスの平均屈折率を、Ｎｄ２ｇａｖｅとしたときに、以下の条件式を満足することを特徴とする請求項１乃至請求項８の何れか一項に記載のズームレンズ。
１．５０  ＜  Ｎｄ２ｇａｖｅ  ＜  １．９５                  （１４）
【請求項１０】
前記第２レンズ群内の、少なくとも１面以上に非球面を有するレンズは樹脂を材料とし、ガラスを材料とするレンズは全て球面レンズであることを特徴とする請求項１乃至請求項９の何れか一項に記載のズームレンズ。
【請求項１１】
請求項１及至請求項１０の何れか一項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、特にデジタルスチルカメラ、ビデオカメラ、監視用カメラ、放送用カメラ等の撮像装置に用いる撮像光学系として好適なものである。
【背景技術】
【０００２】
近年、監視カメラやデジタルスチルカメラ、ビデオカメラ、放送用カメラに用いられるズームレンズは、小型、軽量で、かつ安価でありながら、広い画角を有し、ズーム全域にわたって良好な光学性能を持っていることが要求されている。
【０００３】
広い画角を有しつつ、良好な光学性能を持ったズームレンズとして、物体側から順に、負、正より成る２群ズームレンズが知られている（特許文献１、２）。
【先行技術文献】
【特許文献】
【０００４】
【特許文献１】特許第５７６７３３４号公報
【特許文献２】特許第５７７８２７６号公報
【発明の概要】
【発明が解決しようとする課題】
【０００５】
一方で、監視カメラやビデオカメラ等においては、夜間など、光量が少ない状況においても、被写体を鮮明に撮影する必要があるため、８５０ｎｍや９４０ｎｍなどの近赤外光を被写体に照射し、その反射光を取り入れて撮影する場合がある。
【０００６】
更に、被写体を可視光領域でとらえながら、近赤外光の反射光も同時に取り入れて撮影する場合もある。
【０００７】
そのため、監視カメラやビデオカメラ等に用いられるズームレンズは、ズーム全域で、可視光から近赤外光までの波長領域において、色収差が良好に補正されている必要がある。
【０００８】
これらを鑑み、小型でかつ軽量で有りながら、広い画角を有し、可視光から近赤外光までの波長領域における色収差が良好に補正されたズームレンズ及びそれを有する撮像装置を実現することが課題となる。
【課題を解決するための手段】
【０００９】
上記の課題を解決するために、本発明に係るズームレンズは、
物体側より順に、負の屈折力の第１レンズ群、正の屈折力の第２レンズ群を有し、
広角端より望遠端への変倍に際し、前記第１レンズ群は像側へ移動し、前記第２レンズ群は物体側へ移動し、
前記第１レンズ群は、負レンズを正レンズよりも多い枚数を有し、
前記第２レンズ群は、少なくとも１枚以上の、樹脂を材料として少なくとも１面に非球面を有す正レンズを有し、
前記第２レンズ群は、少なくとも１枚以上負レンズを含み、
前記第１レンズ群の焦点距離をｆ１、前記第２レンズ群の焦点距離をｆ２、前記第２レンズ群に含まれる負レンズの部分分散比をθｃｔ２ｎ、前記第２レンズ群に含まれる負レンズのアッベ数をνｄ２ｎとしたときに、下記の条件式（１）、（２）、（３）を満足することを特徴とする。
【００１０】
−１．５  ＜  ｆ１／ｆ２  ＜  −０．４                          （１）
０．６  ＜  θｃｔ２ｎ  ＜  ０．７                            （２）
１５  ＜  νｄ２ｎ    ＜  ２５                              （３）
【発明の効果】
【００１１】
本発明によれば、小型、軽量で、かつ安価でありながら、広い画角を有し、可視光から近赤外光までの波長領域における色収差が良好に補正されたズームレンズ及びそれを有する撮像装置を実現することができる。
【図面の簡単な説明】
【００１２】
【図１】実施例１のズームレンズの広角端におけるレンズ断面図
【図２（Ａ）】実施例１のズームレンズの広角端における収差図
【図２（Ｂ）】実施例１のズームレンズの中間のズーム位置における収差図
【図２（Ｃ）】実施例１のズームレンズの望遠端における収差図
【図３】実施例２のズームレンズの広角端におけるレンズ断面図
【図４（Ａ）】実施例２のズームレンズの広角端における収差図
【図４（Ｂ）】実施例２のズームレンズの中間のズーム位置における収差図
【図４（Ｃ）】実施例２のズームレンズの望遠端における収差図
【図５】実施例３のズームレンズの広角端におけるレンズ断面図
【図６（Ａ）】実施例３のズームレンズの広角端望遠端における収差図
【図６（Ｂ）】実施例３のズームレンズの中間のズーム位置における収差図
【図６（Ｃ）】実施例３のズームレンズの望遠端における収差図
【図７】実施例４のズームレンズの広角端におけるレンズ断面図
【図８（Ａ）】実施例４のズームレンズの広角端における収差図
【図８（Ｂ）】実施例４のズームレンズの中間のズーム位置における収差図
【図８（Ｃ）】実施例４のズームレンズの望遠端における収差図
【図９】実施例５のズームレンズの広角端におけるレンズ断面図
【図１０（Ａ）】実施例５のズームレンズの広角端における収差図
【図１０（Ｂ）】実施例５のズームレンズの中間のズーム位置における収差図
【図１０（Ｃ）】実施例５のズームレンズの望遠端における収差図
【図１１】実施例６のズームレンズの広角端におけるレンズ断面図
【図１２（Ａ）】実施例６のズームレンズの広角端における収差図
【図１２（Ｂ）】実施例６のズームレンズの中間のズーム位置における収差図
【図１２（Ｃ）】実施例６のズームレンズの望遠端における収差図
【図１３】本発明の撮像装置の要部概略図
【発明を実施するための形態】
【００１３】
本発明は、小型でかつ軽量でありながら、広い画角を有し、可視光から近赤外光までの波長領域における色収差が良好に補正されたズームレンズを提供するために、
物体側より順に負の屈折力の第１レンズ群、正の屈折力の第２レンズ群を有し、
広角端より望遠端への変倍に際し、前記第１レンズ群は像側へ移動し、前記第２レンズ群は物体側へ移動し、
前記第１レンズ群は、負レンズを正レンズよりも多くの枚数を有し、
前記第２レンズ群は、少なくとも１枚以上の、樹脂を材料として少なくとも１面に非球面を有す正レンズを有し、
前記第２レンズ群は、少なくとも１枚以上負レンズを含み、
前記第１レンズ群の焦点距離をｆ１、前記第２レンズ群の焦点距離をｆ２、前記第２レンズ群に含まれる負レンズの部分分散比をθｃｔ２ｎ、前記第２レンズ群に含まれる負レンズのアッベ数をνｄ２ｎとしたときに、下記の条件式（１）、（２）、（３）を満足することを特徴とする。
【００１４】
−１．５  ＜  ｆ１／ｆ２  ＜  −０．４０                        （１）
０．６  ＜  θｃｔ２ｎ  ＜  ０．７                            （２）
１５  ＜  νｄ２ｎ    ＜  ２５                              （３）
小型でかつ軽量でありながら、広い画角を有し、収差を良好に補正するために、物体側から順に負、正を有す構成としている。
【００１５】
広角端より望遠端への変倍に際し、前記第１レンズ群は像側へ移動し、前記第２レンズ群は物体側へ移動する。このように移動することで、広角端より望遠端への変倍と、変倍に伴う像面変動の補正を同時におこなうことができる。
【００１６】
前記第１レンズ群は、負レンズを、正レンズよりも多くの枚数を有している。全体で負の屈折力を有する前記第１レンズ群において、正レンズよりも負レンズの枚数を多く配置することで、広い画角を有しながらも、広角端領域における非点収差や像面湾曲の良好な補正を実現している。前記正レンズで第１レンズ群内の色収差補正をおこなうことで、広角端より望遠端への変倍に際し発生する、軸上色収差と倍率色収差の変動を良好に補正している。
【００１７】
前記第２レンズ群は、少なくとも１枚以上の、材料が樹脂であり、少なくとも１面に非球面を有する正レンズを有している。前記正レンズが非球面を有することで、前記第２レンズ群が少ない枚数で、広角端領域における球面収差を良好に補正することができる。更に、前記正レンズの材料を樹脂にすることで、前記第２レンズ群を軽量化できる。
【００１８】
その結果、前記第２レンズ群が、小型、軽量で、かつ安価な構成となる。
【００１９】
前記第２レンズ群は、少なくとも１枚以上負レンズを含むことで、広角端領域における軸上色収差と倍率色収差を同時に良好に補正するとともに、前記第２レンズ群内を通過する軸外光束で発生する非点収差を良好に補正できる。
【００２０】
さらに上記の条件式（１）、（２）、（３）を満足することにより、小型、軽量で、かつ安価でありながら、広い画角を有し、可視光から近赤外光までの波長領域における色収差が良好に補正されたズームレンズを実現することができる。
【００２１】
条件式（１）は、前記第１レンズ群の焦点距離と、前記第２レンズ群の焦点距離との比を規定したものである。
【００２２】
条件式（１）を満たすことで、全系が小型でありながら、変倍に際し発生する非点収差や像面湾曲等の変動を抑制し、ズーム全域で良好な光学性能を得ることが可能となる。
【００２３】
条件式（１）の下限値を超えて前記第２レンズ群の焦点距離ｆ２が小さくなると、前記第２レンズ群の屈折力が強くなりすぎる。その結果、広角端領域で前記第２レンズ群での非点収差や像面湾曲が増大するため好ましくない。
【００２４】
条件式（１）の上限値を越えて前記第１レンズ群の焦点距離ｆ１が小さくなると、前記第１レンズ群の屈折力が強くなりすぎる。その結果、広角端より望遠端への変倍に際し発生する非点収差や像面湾曲等の変動が補正不足となるため好ましくない。
【００２５】
条件式（２）は前記第２レンズ群に含まれる負レンズの、Ｃ線とｔ線に関する部分分散比を規定したものである。前記第２レンズ群内の樹脂レンズの分散性を打消すように、前記第２レンズ群内の負レンズの材料を設定することで、ズーム全域にわたる、可視光から近赤外光までの波長領域の、軸上色収差や倍率色収差を、良好に補正している。
【００２６】
条件式（２）を満たすように、負レンズの材料を適切に設定することで、近赤外光の波長領域の軸上色収差を良好に補正することができる。
【００２７】
条件式（２）の下限値を越えて前記負レンズの部分分散比が小さくなると、広角端領域において近赤外光の軸上色収差が補正不足となるため好ましくない。
【００２８】
条件式（２）の上限値を超えて前記負レンズの部分分散比が大きくなると、広角端領域において近赤外光の軸上色収差が補正過剰となるため好ましくない。
【００２９】
条件式（３）は前記第２レンズ群に含まれる負レンズのアッベ数を規定したものである。
【００３０】
条件式（３）を満たすことで広角端領域の色収差補正ができ、良好な光学性能の実現が可能である。
【００３１】
条件式（３）の下限値を越えて前記負レンズのアッベ数が小さくなると、広角端領域において軸上色収差や倍率色収差が補正過剰となるため好ましくない。
【００３２】
条件式（３）の上限値を超えて前記負レンズのアッベ数が大きくなると、広角端領域において軸上色収差や倍率色収差が補正不足となるため好ましくない。
【００３３】
各実施例では上記の如く、条件式（１）、（２）、（３）を満足するように各要素を適切に設定している。
【００３４】
これにより、小型、軽量で、かつ安価でありながら、広い画角を有し、可視光から近赤外光までの波長領域における色収差が良好に補正されたズームレンズが得られる。
【００３５】
なお、好ましくは条件式（１）、（２）、（３）の数値範囲を次のようにするのがよい。
【００３６】
−１．２  ＜  ｆ１／ｆ２  ＜  −０．６                          （１ａ）
０．６２  ＜  θｃｔ２ｎ  ＜  ０．６９                          （２ａ）
１７．０  ＜  νｄ２ｎ    ＜  ２５．０                          （３ａ）
更に好ましくは、条件式（１）、（２）、（３）の数値範囲を次のようにするのがよい。
【００３７】
−１．１  ＜  ｆ１／ｆ２  ＜  −０．７                          （１ｂ）
０．６４  ＜  θｃｔ２ｎ  ＜  ０．６８                          （２ｂ）
１８．０  ＜  νｄ２ｎ    ＜  ２５．０                          （３ｂ）
各実施例において、更に好ましくは、次の諸条件のうち、１以上を満足するのが良い。
まず、前記第１レンズ群は、物体側から順に、少なくとも２枚以上の負レンズが連続して配置される構成となっている。このような構成とすることで、広角端領域の非点収差や像面反曲を好適に補正している。
【００３８】
次に、前記第１レンズ群は、少なくとも１枚の正レンズを有している。このようにすることで、前記第１レンズ群内で、特に広角端領域において発生する、倍率色収差を好適に補正している。
【００３９】
一方、前記第２レンズ群内の前記非球面を有す樹脂レンズは、最も物体側に配置されている。前記第１レンズ群は負の屈折力を有するため、前記第２レンズ群には拡散性の光束が入射する。その結果、光学系内において、前記第２レンズ群内の物体側領域では、光束径が大きくなりやすいため、非球面形状のレンズを前記第２レンズ群の物体側に配置することで、非球面形状が持つ球面収差補正を効果的におこなうことができる。
【００４０】
さらに、前記第２レンズ群内の物体側領域では光束径が大きくなりやすいために、その光束径に合わせてレンズ外径を大きく確保する必要がある。外径が大きくなることで、レンズ体積が大きくなり、レンズ重量の増加につながるため、前記第２レンズ群内の最も物体側に配置したレンズを樹脂とすることで、前記第２レンズ群の軽量化の効果を高めている。
【００４１】
このようにすることで、前記第２レンズ群内で発生する球面収差の好適な補正と前記第２レンズ群の軽量化を両立している。
【００４２】
更に、前記第２レンズ群は、少なくとも３枚以上の正レンズを有している。このようにすることで、変倍に必要な屈折力を有しながらも、像面湾曲や球面収差の好適な補正を実現している。
【００４３】
また、前記第２レンズ群は、少なくとも１面以上の非球面を有すレンズは樹脂を材料とし、ガラスを材料とするレンズは全て球面レンズで構成している。このようにすることで、前記第２レンズ群の更なる製造コスト低減を図っている。
【００４４】
ここで、前記第２レンズ群が有する前記樹脂レンズの焦点距離をｆ２ｐ、前記第１レンズ群の最も物体側の負レンズの焦点距離をｆ１１、前記第１レンズ群内の正レンズのｄ線における屈折率をＮｄ１ｐ、前記第１レンズ群内の正レンズのアッベ数をνｄ１ｐ、前記第２レンズ群内のガラスレンズのｄ線における屈折率をＮｄ２ｐｇ、アッベ数をνｄ２ｐｇ、前記第２レンズ群に含まれる前記樹脂レンズのアッベ数をνｄ２ｐｐ、部分分散比をθｃｔ２ｐｐ、前記第１レンズ群の、最も物体側の面の頂点から最も像側の面の頂点までの距離をＬ１、前記第１レンズ群の全てのレンズ材料の平均屈折率をＮｄ１ａｖｅ、前記第２レンズ群のうち、前記樹脂レンズを除くすべてのガラスの平均屈折率を、Ｎｄ２ｇａｖｅとしたとき、
１．０  ＜  ｆ２ｐ／ｆ２    ＜  ２．５                        （４）
１．７  ＜    Ｎｄ１ｐ      ＜  ２．３                        （５）
１０  ＜    νｄ１ｐ      ＜  ３０                          （６）
０．８  ＜  ｆ１１／ｆ１    ＜  ２．０                        （７）
１．５３  ＜    Ｎｄ２ｐｇ    ＜  １．８０                      （８）
５８  ＜    νｄ２ｐｇ    ＜  ８０                          （９）
１５  ＜    νｄ２ｐｐ    ＜  ７０                        （１０）
０．６０  ＜  θｃｔ２ｐｐ    ＜  ０．７５                    （１１）
０．８  ＜  Ｌ１／｜ｆ１｜  ＜  １．５                      （１２）
１．６  ＜  Ｎｄ１ａｖｅ    ＜  ２．１                      （１３）
１．５０  ＜  Ｎｄ２ｇａｖｅ  ＜  １．９５                    （１４）
なる条件式のうち、１つ以上を満足することが好ましい。
【００４５】
条件式（４）は、前記第２レンズ群内の樹脂レンズの焦点距離と前記第２レンズ群の焦点距離との比を規定したものである。
【００４６】
条件式（４）の下限値を越えて前記第２レンズ群内の樹脂レンズの焦点距離が小さくなると、前記樹脂レンズの屈折力が強くなりすぎる。その結果、レンズ周辺の温度や湿度等の環境変化による、ベストピント位置の変動や球面収差の変動による光学性能の低下が大きくなるため、好ましくない。
【００４７】
条件式（４）の上限値を超えて前記第２レンズ群内の樹脂レンズの焦点距離が大きくなると、前記樹脂レンズの屈折力が弱くなりすぎる。その結果、前記第２レンズ群のペッツバール和が、過剰に負の方向に大きくなりすぎるため、広角端領域において非点収差が補正不足となるため、好ましくない。
【００４８】
条件式（５）は、前記第１レンズ群内の正レンズのｄ線における屈折率を規定したものである。
【００４９】
条件式（５）の下限値を越えて前記屈折率が小さくなると、前記正レンズが屈折力を維持するために、前記正レンズの光学面の曲率が強くなりすぎる。その結果、望遠端領域における球面収差や、広角端から望遠端への変倍に際し発生する像面湾曲の変動が大きくなりすぎるため、好ましくない。
【００５０】
条件式（５）の上限値を超えて前記屈折率が大きくなると、前記正レンズが屈折力を維持するために、前記正レンズの光学面の曲率が弱くなりすぎる。その結果、前記第１レンズ群のペッツバール和が、過剰に負の方向に大きくなりすぎるため、広角端領域において非点収差が補正不足となるため、好ましくない。
【００５１】
条件式（６）は、前記第１レンズ群内の正レンズのアッベ数を規定したものである。
【００５２】
条件式（６）の下限値を越えて、前記アッベ数が小さくなると、前記正レンズの分散が強くなりすぎる。その結果、広角端から望遠端への変倍に際し発生する倍率色収差変動が大きくなりすぎるため、好ましくない。
【００５３】
条件式（６）の上限値を超えて、前記アッベ数が大きくなると、前記正レンズの分散が弱くなりすぎる。その結果、広角端領域における倍率色収差が大きくなりすぎるため、好ましくない。
【００５４】
条件式（７）は、前記第１レンズ群の最も物体側の負レンズの焦点距離と、前記第１レンズ群の焦点距離との比を規定したものである。
【００５５】
条件式（７）の下限値を越えて、前記最も物体側の負レンズの焦点距離が短くなると、前記負レンズの屈折力が強くなりすぎる。その結果、広角端領域において非点収差や歪曲収差が大きくなりすぎるため、好ましくない。
【００５６】
条件式（７）の上限値を超えて、前記負レンズの焦点距離が長くなると、前記負レンズの屈折力が弱くなりすぎる。その結果、前記第１レンズ群の主点位置が像側へ移動するため、前記負レンズの径が大きくなり、全系の長大化につながるため、好ましくない。
【００５７】
条件式（８）は、前記第２レンズ群内のガラスを材料とする正レンズのｄ線における屈折率を規定したものである。
【００５８】
条件式（８）の下限値を越えて、前記正レンズの屈折率が小さくなると、前記正レンズが屈折力を維持するために、前記正レンズの光学面の曲率が強くなりすぎる。その結果、広角端領域において球面収差が大きくなりすぎるため、好ましくない。
【００５９】
条件式（８）の上限値を超えて、前記正レンズの屈折率が大きくなると、前記正レンズが屈折力を維持するために、前記正レンズの光学面の曲率が弱くなりすぎる。その結果、前記第２レンズ群のペッツバール和を適正な範囲内に維持できなくなり、広角端領域において非点収差が補正不足となるため、好ましくない。
【００６０】
条件式（９）は、前記第２レンズ群内のガラスを材料とする正レンズのアッベ数を規定したものである。
【００６１】
条件式（９）の下限値を越えて、前記アッベ数が小さくなりすぎると、広角端における倍率色収差が補正過剰となり、好ましくない。
【００６２】
条件式（９）の上限値を超えて、前記アッベ数が大きくなりすぎると、広角端における倍率色収差が補正不足となり、好ましくない。
【００６３】
条件式（１０）は、前記第２レンズ群内の樹脂を材料とする正レンズのアッベ数を規定したものである。
【００６４】
条件式（１０）の下限値を越えて、前記アッベ数が小さくなりすぎると、広角端における倍率色収差が補正過剰となり、好ましくない。
【００６５】
条件式（１０）の上限値を超えて、前記アッベ数が大きくなりすぎると、広角端における倍率色収差が補正不足となり、好ましくない。
【００６６】
条件式（１１）は、前記第２レンズ群内の樹脂を材料とする正レンズの部分分散比を規定したものである。
【００６７】
条件式（１１）の下限値を越えて、部分分散比が小さくなりすぎると、広角端領域において近赤外光の軸上色収差が補正過剰となり、好ましくない。
【００６８】
条件式（１１）の上限値を超えて、部分分散比が大きくなりすぎると、広角端領域において近赤外光の軸上色収差が補正不足となり、好ましくない。
【００６９】
条件式（１２）は、前記第１レンズ群の最も物体側の面の頂点から最も像側の面の頂点までの距離と、前記第１レンズ群の焦点距離の絶対値との比を規定したものである。
【００７０】
条件式（１２）の下限値を越えて、前記第１レンズ群の焦点距離が大きくなると、前記第１レンズ群の屈折力が弱くなりすぎる。その結果、広角端から望遠端への変倍のための前記第１レンズ群の移動量が大きくなり、全系の長大化につながるため、好ましくない。
【００７１】
条件式（１２）の上限値を超えて、前記第１レンズ群の最も物体側の面の頂点から最も像側の面の頂点までの距離が長くなると、前記第１レンズ群が長大化し、前玉径の拡大につながる。その結果、前記第１レンズ群重量の増大につながるため、好ましくない。
【００７２】
条件式（１３）は、前記第１レンズ群の全てのレンズ材料の平均屈折率を規定したものである。
【００７３】
条件式（１３）の下限値を越えて、前記平均屈折率が小さくなると、前記第１レンズ群の屈折力を維持するために、前記第１レンズ群内の各レンズの曲率が強くなる。その結果、広角端領域において前記第１レンズ群内で発生する像面湾曲が大きくなりすぎるため、好ましくない。
【００７４】
条件式（１３）の上限値を超えて、前記平均屈折率が大きくなると、前記第１レンズ群の屈折力を維持するために、前記第１レンズ群内の各レンズの曲率が弱くなる。その結果、全系のペッツバール和が、過剰に正の方向に大きくなりすぎるため、広角端領域において像面湾曲や非点収差が補正過剰となり、好ましくない。
【００７５】
条件式（１４）は、前記第２レンズ群のうち、前記樹脂レンズを除く全てのガラスの平均屈折率を規定したものである。
【００７６】
条件式（１４）の下限値を越えて、前記平均屈折率が小さくなると、前記第１レンズ群の屈折力を維持するために、前記第１レンズ群内の各レンズの曲率が強くなる。その結果、広角端領域において前記第２レンズ群内で発生する球面収差が大きくなりすぎるため、好ましくない。
【００７７】
条件式（１４）の上限値を超えて、前記平均屈折率が大きくなると、前記第２レンズ群の屈折力を維持するために、前記第１レンズ群内の各レンズの曲率が弱くなる。その結果、全系のペッツバール和が、過剰に負の方向に大きくなりすぎるため、広角端領域において像面湾曲や非点収差が補正不足となり、好ましくない。
【００７８】
なお、各実施例において、好ましくは条件式（４）乃至（１４）の数値範囲を次のようにするのがよい。
【００７９】
１．２  ＜  ｆ２ｐ／ｆ２    ＜  ２．４                        （４ａ）
１．８  ＜    Ｎｄ１ｐ      ＜  ２．１                        （５ａ）
１４  ＜    νｄ１ｐ      ＜  ２０                          （６ａ）
１．０  ＜  ｆ１１／ｆ１    ＜  １．９                        （７ａ）
１．５５  ＜    Ｎｄ２ｐｇ    ＜  １．７０                      （８ａ）
６５  ＜    νｄ２ｐｇ    ＜  ７５                          （９ａ）
３０  ＜    νｄ２ｐｐ    ＜  ６０                        （１０ａ）
０．６５  ＜  θｃｔ２ｐｐ    ＜  ０．７５                    （１１ａ）
０．９  ＜  Ｌ１／｜ｆ１｜  ＜  １．４                      （１２ａ）
１．７  ＜  Ｎｄ１ａｖｅ    ＜  ２．０                      （１３ａ）
１．５５  ＜  Ｎｄ２ｇａｖｅ  ＜  １．９０                    （１４ａ）
また更に、好ましくは条件式（４）乃至（１４）の数値範囲を次のようにするのがよい。
【００８０】
１．５  ＜  ｆ２ｐ／ｆ２    ＜  ２．３                        （４ｂ）
１．９  ＜    Ｎｄ１ｐ      ＜  ２．０                        （５ｂ）
１６  ＜    νｄ１ｐ      ＜  １８                          （６ｂ）
１．２  ＜  ｆ１１／ｆ１    ＜  １．８                        （７ｂ）
１．５９  ＜    Ｎｄ２ｐｇ    ＜  １．６０                      （８ｂ）
６７  ＜    νｄ２ｐｇ    ＜  ６９                          （９ｂ）
５０  ＜    νｄ２ｐｐ    ＜  ５８                        （１０ｂ）
０．６８  ＜  θｃｔ２ｐｐ    ＜  ０．７０                    （１１ｂ）
１．０  ＜  Ｌ１／｜ｆ１｜  ＜  １．３                      （１２ｂ）
１．８０  ＜  Ｎｄ１ａｖｅ    ＜  １．９５                    （１３ｂ）
１．６０  ＜  Ｎｄ２ｇａｖｅ  ＜  １．８５                    （１４ｂ）
各実施例では以上のように各要素を構成することにより、小型でかつ軽量でありながら、広い画角を有し、可視光から近赤外光までの波長領域における色収差が良好に補正されたズームレンズが得られる。また、以上の条件式は任意に複数組み合わせることにより、さらに本発明の効果を高めることができる。
【００８１】
以下、本発明のズームレンズ及びそれを有する撮像装置を図面に基づいて説明する。
【００８２】
各実施例のズームレンズはデジタルスチルカメラやビデオカメラ、銀塩フィルムカメラ、テレビカメラ等の撮像装置に用いられる撮像レンズ系である。
【００８３】
図１、３、５、７、９のレンズ断面図において左側が物体側で、右側が像側である。
【００８４】
図１、３、５、７、９において、Ｌ１は正の屈折力の第１レンズ群、Ｌ２は負の屈折力の第２レンズ群である。
【００８５】
Ｐは光学フィルター、フェースプレート、ローパスフィルター、赤外カットフィルター等に相当する光学ブロックであり、Ｉは像面である。
【００８６】
赤外カットフィルターは、光路中に挿抜可能の機構としても良い。
【００８７】
デジタルスチルカメラやビデオカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面Ｉはフィルム面に相当する。
【００８８】
レンズ断面図中の矢印は、ズーミング時の各レンズ群の移動軌跡を示している。
【００８９】
各実施例において、ＳＰは開口絞りであり第２レンズ群Ｌ２の物体側に配置している。
この開口絞りＳＰの開口径はズーミングに際して一定とすることも、変化させることもできる。開口絞りＳＰの径を変化させることで、望遠端において大きく発生する軸外光束による下線コマフレアをカットすることができ、より良好な光学性能を得ることができる。
【００９０】
無限遠物体から近距離物体へのフォーカシングに関しては、第１レンズ群Ｌ１もしくは第２レンズ群Ｌ２の、群全体又はその一部が光軸上を移動することで行う。また、第１レンズ群Ｌ１と第２レンズ群Ｌ２が同時に駆動しても良い。
【００９１】
各実施例において、広角端から望遠端へのズーミングは、第２レンズ群Ｌ２をレンズ断面図中の矢印に示すように、物体側へ移動することによっておこなっている。
【００９２】
更に、第１レンズ群Ｌ１を、レンズ断面図中の曲線に示すように移動することで、ズーミングに伴う像面変動の補正をおこなっている。
【００９３】
球面収差図においてＦｎｏはＦナンバーである。また実線はｄ線（波長５８７．５６ｎｍ）、二点鎖線はＦ線（波長４８６．１３ｎｍ）、一点鎖線はＣ線（波長６５６．２７ｎｍ）、点線はｔ線（波長１０１３．９８ｎｍ）を示している。
【００９４】
非点収差図において実線はｄ線におけるサジタル像面、点線はメリジオナル像面である。歪曲収差はｄ線について示している。倍率色収差図についてはｄ線に対するＦ線、Ｃ線、ｔ線の収差を示している。ωは撮像半画角である。
【００９５】
次に各実施例のレンズ構成について説明する。
【００９６】
各レンズは特に断りがない限り、物体側から像側へ順に配置されており、ガラスを材料としている。
【００９７】
［実施例１、２］
第１レンズ群Ｌ１は、物体側が凸面でメニスカス形状の負レンズ、両凹形状の負レンズ、物体側が凸面の正レンズ、の３枚で構成している。このような構成により、第１レンズ群Ｌ１の主点位置が物体側に来るようになり、全系の小型化と良好な光学性能の実現の両立を可能としている。
【００９８】
第２レンズ群Ｌ２は、物体側が凸面で、両面非球面で樹脂を材料とする正レンズ、両凸形状の正レンズ、像側に凹面を向けた負レンズ、像側に凸形状の接合面を有し、物体側から順に正レンズ、負レンズの並びの接合レンズ、で構成している。
【００９９】
このような構成により、広角端領域における球面収差や像面湾曲など各収差を好適に補正している。また、樹脂を材料とする正レンズ以外のレンズを全て球面レンズで構成することで、全系でのレンズコスト低減を実現している。
【０１００】
［実施例３］
第１レンズ群Ｌ１は、実施例１と同様の構成となっている。
【０１０１】
第２レンズ群Ｌ２は、物体側が凸面で、両面非球面で樹脂を材料とする正レンズ、両凸形状の正レンズ、像側に凸面を向けた正レンズ、像側に凹面を向けた負レンズ、物体側に凸面を向けた正レンズで構成している。
【０１０２】
このような構成により、広角端領域における球面収差や像面湾曲など各収差を好適に補正している。また、実施例１と同様に、樹脂を材料とする正レンズ以外のレンズを全て球面レンズで構成することで、全系でのレンズコスト低減を実現している。
【０１０３】
［実施例４］
第１レンズ群Ｌ１は、実施例１と同様の構成となっている。
【０１０４】
第２レンズ群Ｌ２は、物体側が凸面で、両面非球面で樹脂を材料とする正レンズ、両凸形状の正レンズ、像側に凸形状の接合面を有し、物体側から順に正レンズ、負レンズの並びの接合レンズ、像側に凹面を向けた負レンズ、物体側に凸面を向けた正レンズで構成している。
【０１０５】
このような構成により、広角端領域における球面収差や像面湾曲など各収差を好適に補正している。また、実施例１と同様に、樹脂を材料とする正レンズ以外のレンズを全て球面レンズで構成することで、全系でのレンズコスト低減を実現している。
【０１０６】
［実施例５］
第１レンズ群Ｌ１は、実施例１と同様の構成となっている。
【０１０７】
第２レンズ群Ｌ２は、物体側が凸面で、両面非球面で樹脂を材料とする正レンズ、両凸形状の正レンズ、像側に凹面を向けた負レンズ、両凸形状の正レンズで構成している。
【０１０８】
このような構成により、広角端領域における球面収差や像面湾曲など各収差を好適に補正している。また、実施例１と同様に、樹脂を材料とする正レンズ以外のレンズを全て球面レンズで構成することで、全系でのレンズコスト低減を実現している。
【０１０９】
［実施例６］
第１レンズ群Ｌ１は、実施例１と同様の構成となっている。
【０１１０】
第２レンズ群Ｌ２は、実施例５と同様の構成となっている。
【０１１１】
第３レンズ群Ｌ３は、レンズ中心付近において、物体側に凹面を向けた、両面非球面形状の負レンズで構成している。
【０１１２】
第３レンズ群Ｌ３は、広角端より望遠端への変倍に際し不動である。
【０１１３】
無限遠物体から近距離物体へのフォーカシングに関しては、第３レンズ群Ｌ３を用いても良い。
【０１１４】
第３レンズ群Ｌ３を配置することで、最も像側のレンズ面から結像面までのバックフォーカスを確保しながら、全系のペッツバール和のバランスを維持し、より良好な光学性能を得ることができる。
【０１１５】
次に本発明のズームレンズを撮影光学系として用いた撮像装置の実施例を、図１１を用いて説明する。
【０１１６】
図１１において、１０は監視カメラ本体、１１は実施例１乃至５で説明したいずれかのズームレンズによって構成された撮影光学系である。
【０１１７】
１２はカメラ本体に内蔵され、撮影光学系１１によって形成された被写体像を受光するＣＣＤセンサやＣＭＯＳセンサ等の固体撮像素子（光電変換素子）である。
【０１１８】
１３は固体撮像素子１２によって光電変換された被写体像に対応する情報を記録するメモリである。
【０１１９】
１４は固体撮像素子１２によって光電変換された被写体像を転送するためのネットワークケーブルである。
【０１２０】
撮像装置としては監視カメラに限定されることはなく、ビデオカメラやデジタルカメラ等においても用いることができる。
【０１２１】
本発明の撮像装置は、上記のいずれかのズームレンズとともに、歪曲収差と倍率色収差のどちらか、もしくは両方を電気的に補正する回路を有していても良い。このようにズームレンズの歪曲収差等を許容することができる構成にすれば、ズームレンズ全体のレンズ枚数を少なくでき、小型化が容易になる。
【０１２２】
また倍率色収差を電気的に補正することにより、撮影した画像の色にじみを軽減し、解像力の向上を図ることが容易になる。
【０１２３】
以上、本発明の好ましい実施形態について説明したが、本発明はこれらの実施形態に限定されず、その要旨の範囲内で種々の変形及び変更が可能である。
【０１２４】
次に本発明の実施例１乃至６にそれぞれ対応する数値実施例１乃至６を示す。各数値実施例において、ｉは物体側からの光学面の順序を示す。
【０１２５】
ｒｉは第ｉ番目の光学面（第ｉ面）の曲率半径、ｄｉは第ｉ面と第ｉ＋１面との間の間隔、ｎｄｉ、νｄｉ、θＣｔｉはそれぞれｄ線に対する第ｉ番目の光学部材の材料の屈折率、アッベ数、部分分散比を示す。
【０１２６】
レンズ全長は、レンズの最も物体側の面からレンズ最終面までの距離に、レンズ最終面から近軸像面までの距離の空気換算長を加えたものである。
【０１２７】
ＢＦ（バックフォーカス）はレンズ最終面から近軸像面までの距離を空気換算長により表したものである。
【０１２８】
＊は非球面を意味する。
【０１２９】
ここで、本発明の各請求項や各実施例で用いている光学材料のアッベ数と部分分散比は次の通りである。
【０１３０】
フラウンフォーファ線のＦ線（４８６．１ｎｍ）、ｄ線（５８７．６ｎｍ）、Ｃ線（６５６．３ｎｍ）、ｔ線（１０１３．９８ｎｍ）に対する屈折率をそれぞれｎＦ、ｎｄ、ｎＣ、ｎｔとする。アッベ数νｄ及び、Ｃ線とｔ線に関する部分分散比θＣｔは、以下の式の通りに与えられる。
【０１３１】
νｄ＝（ｎｄ−１）／（ｎＦ−ｎＣ）
θＣｔ＝（ｎＣ−ｎｔ）／（ｎＦ−ｎＣ）
またｋを離心率、Ａ４、Ａ６、Ａ８、Ａ１０、Ａ１２を非球面係数、面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０＋Ａ１２ｈ１２
で表される。但しＲは近軸曲率半径である。
【０１３２】
各数値実施例における上述した条件式との対応を、実施例１乃至６について表１に示す。
【０１３３】
【表１】
2020204637.tif 000003
【０１３４】
［数値実施例１］
単位 mm
面データ
面番号      r           d       nd        vd       θct   
1         26.797      0.90   1.90043    37.4     0.722   
2          7.644      5.08  
3        -35.180      0.70   1.85150    40.8     0.739   
4         18.828      1.30  
5         19.615      2.12   1.94595    18.0     0.632   
6        370.967    (可変) 
7(絞り)     ∞      (可変)                             
8*        10.437      2.28   1.53113    55.8     0.693   
9*       -47.091      0.15    
10         10.369      4.22   1.59282    68.6     0.797   
11        -13.900      0.15    
12         78.711      0.45   1.80810    22.8     0.660   
13          5.914      1.11   
14         19.988      1.97   1.85150    40.8     0.739   
15        -11.436      0.40   1.62588    35.7     0.724   
16       -170.034    (可変)     
17          ∞         1.98   1.51633    64.1     0.869   
18          ∞         1.90   
像面        ∞          
非球面データ
第8面
K = 0.00000e+000  A 4=-1.85532e-004  A 6= 1.37615e-005  A 8=-6.48275e-007  A10= 1.46403e-008  A12=-1.25978e-010  
第9面
K = 0.00000e+000  A 4= 3.45084e-004  A 6= 1.44448e-005  A 8=-3.69544e-007  A10= 6.82732e-009  
各種データ
ズーム比      2.96 
広角     中間     望遠
焦点距離       3.07     5.47     9.08  
Fナンバー      1.44     1.75     2.52  
半画角        46.19    30.31    19.41  
像高           3.20     3.20     3.20  
レンズ全長    50.60    39.41    36.27  
BF             6.88     9.42    13.25  
d 6           17.10     5.91     2.77  
d 7            5.80     3.25    -0.57  
d16            3.67     6.22    10.04  
ズームレンズ群データ
群  始面    焦点距離  
1    1      -9.52  
2    8      10.09  
［数値実施例２］
単位 mm
面データ
面番号      r           d       nd        vd       θct
1         18.612      0.90   1.90043    37.4     0.722
2          7.866      5.93 
3        -61.229      0.70   1.77250    49.6     0.796
4         11.787      1.54  
5         13.754      1.83   1.94595    18.0     0.632
6         31.419    (可変)  
7            ∞     (可変)  
8*        10.664      2.00   1.53113    55.8     0.693
9*      -341.207      0.15  
10         10.258      3.86   1.59282    68.6     0.797
11        -13.850      0.37  
12         42.751      0.45   1.80810    22.8     0.660
13          5.869      1.00  
14         14.371      1.97   1.83481    42.7     0.756
15        -15.489      0.40   1.57501    41.5     0.753
16        130.438    (可変)  
17            ∞       1.98   1.51633    64.1     0.869
18            ∞       2.52 
像面          ∞   
非球面データ
第8面
K = 0.00000e+000  A 4=-3.54639e-004  A 6= 8.26098e-006  A 8=-1.15332e-006  A10= 2.16627e-008  A12=-1.25978e-010  
第9面
K = 0.00000e+000  A 4= 1.68726e-004  A 6= 8.95478e-006  A 8=-9.23607e-007  A10= 1.65966e-008  
各種データ
ズーム比      3.20 
広角     中間     望遠
焦点距離       2.94     5.53     9.41  
Fナンバー      1.44     1.79     2.66  
半画角        47.42    30.06    18.78  
像高           3.20     3.20     3.20  
レンズ全長    52.29    40.57    37.98  
BF             7.15     9.97    14.20  
d 6           17.46     5.74     3.15  
d 7            6.58     3.76    -0.47  
d16            3.33     6.15    10.38  
ズームレンズ群データ
群  始面    焦点距離  
1    1      -9.16  
2    8       9.98  
［数値実施例３］
単位 mm
面データ
面番号      r           d       nd        vd       θct  
1         19.134      0.90   1.90043    37.4     0.722  
2          7.556      5.73  
3        -51.960      0.70   1.77250    49.6     0.796  
4         13.883      1.76  
5         15.251      1.67   1.98612    16.5     0.621  
6         32.963    (可変)  
7(絞り)     ∞       (可変)  
8*        15.163      2.00   1.53113    55.8     0.693  
9*       -49.073      0.15  
10         12.873      3.40   1.59282    68.6     0.797  
11        -18.711      0.17  
12         79.776      2.48   1.59282    68.6     0.797  
13        -17.762      0.15  
14         31.949      0.45   1.85896    22.7     0.658  
15          5.618      1.43  
16         10.588      3.45   1.80400    46.6     0.779  
17         37.043    (可変)  
18          ∞         1.98   1.51633    64.1     0.869  
19          ∞         1.57  
像面        ∞   
非球面データ
第8面
K = 0.00000e+000  A 4=-4.32660e-004  A 6= 1.08525e-005  A 8=-1.02614e-006  A10= 2.48562e-008  A12=-1.25978e-010  
第9面
K = 0.00000e+000  A 4= 5.59806e-005  A 6= 9.95032e-006  A 8=-6.97694e-007  A10= 1.45912e-008  
各種データ
ズーム比      3.20 
広角     中間     望遠
焦点距離       2.94     5.53     9.40  
Fナンバー      1.44     1.79     2.71  
半画角        47.42    30.08    18.79  
像高           3.20     3.20     3.20  
レンズ全長    53.29    41.84    39.40  
BF             5.09     7.93    12.18  
d 6           16.87     5.42     2.98  
d 7            6.89     4.05    -0.20  
d17            2.21     5.05     9.30  
ズームレンズ群データ
群  始面    焦点距離  
1    1      -9.05  
2    8       9.92  
［数値実施例４］
単位 mm
面データ
面番号      r           d       nd        vd       θct 
1         17.873      0.90   1.88300    40.8     0.738 
2          7.619      7.07   
3        -27.270      0.70   1.88300    40.8     0.738 
4         24.632      1.02   
5         21.379      2.70   1.98612    16.5     0.621 
6        128.192    (可変)   
7(絞り)    ∞       (可変)   
8*        12.799      1.86   1.53113    55.8     0.693 
9*      -110.387      0.78   
10         23.253      3.20   1.59282    68.6     0.797 
11        -10.512      0.17   
12        191.490      3.17   1.72916    54.7     0.824 
13         -9.951      0.40   1.85478    24.8     0.674 
14        -20.929      0.27   
15         12.581      0.45   1.92286    18.9     0.637 
16          4.976      1.47   
17          6.358      1.38   1.95906    17.5     0.626 
18          8.000    (可変)   
19          ∞         1.98   1.51633    64.1     0.869 
20          ∞         0.37   
像面        ∞   
非球面データ
第8面
K = 0.00000e+000  A 4=-3.15979e-004  A 6=-1.34149e-007  A 8=-1.08100e-006  A10= 1.16653e-008  A12=-1.25978e-010  
第9面
K = 0.00000e+000  A 4= 3.94449e-004  A 6= 5.12301e-006  A 8=-1.21329e-006  A10= 1.74778e-008  
各種データ
ズーム比      3.20 
広角     中間     望遠
焦点距離       3.10     5.83     9.92  
Fナンバー      1.44     1.81     2.66  
画角          45.91    28.77    17.88  
像高           3.20     3.20     3.20  
レンズ全長    53.30    41.56    38.77  
BF             5.20     7.83    11.78  
d 6           16.23     4.49     1.70  
d 7            6.33     3.70    -0.25  
d18            3.52     6.15    10.10  
d20            0.37     0.37     0.37  
ズームレンズ群データ
群  始面    焦点距離  
1    1      -9.93  
2    8       9.59  
［数値実施例５］
単位 mm
面データ
面番号      r         d        nd        vd       θct
1         43.118      1.00   1.85150    40.8     0.739
2          7.686      4.65   
3        -27.845      0.70   1.60311    60.6     0.832
4         20.194      1.97   
5         20.844      1.57   1.95906    17.5     0.626
6         65.020    (可変)   
7          ∞       (可変)   
8*         9.081      2.62   1.53113    55.8     0.693
9*       -95.755      0.15   
10          9.774      3.43   1.59522    67.7     0.795
11        -18.099      0.15   
12         41.186      0.60   1.84666    23.9     0.661
13          5.847      1.07   
14         15.221      1.98   1.49700    81.5     0.826
15        -14.892    (可変)  
16          ∞         1.75   1.51633    64.1     0.869
17          ∞         3.07
像面        ∞   
非球面データ
第8面
K =-1.01082e+000  A 4= 7.50786e-005  A 6= 2.92709e-006  A 8=-2.98854e-008  
第9面
K =-7.61563e+002  A 4= 3.92703e-004  A 6= 6.30942e-006  
各種データ
ズーム比      2.90 
広角     中間     望遠
焦点距離       3.04     4.78     8.82  
Fナンバー      1.44     1.66     2.44  
半画角        46.38    33.77    19.91  
像高           3.19     3.19     3.19  
レンズ全長    49.70    40.49    36.03  
BF             7.28     9.21    13.72  
d 6           15.11     5.90     1.44  
d 7            7.44     5.50     1.00  
d15            3.05     4.98     9.49  
ズームレンズ群データ
群  始面    焦点距離  
1    1      -9.16  
2    8      10.20  
［数値実施例６］
単位 mm
面番号        r       d        nd       vd     θct
1         31.440    1.00   2.00100    29.1   0.684
2          7.349    5.05
3        -17.565    0.70   1.59522    67.7   0.795
4         17.560    0.10
5         15.408    1.95   1.95906    17.5   0.626
6        102.208  (可変)
7(絞り)    ∞     (可変)                             
8*        22.785    2.50   1.53113    55.8   0.693
9*       -15.097    0.15
10         15.437    4.55   1.43700    95.1   0.841
11         -9.115    0.15
12        513.405    0.60   1.85478    24.8   0.674
13          9.693    0.65
14         17.050    2.92   1.59522    67.7   0.795
15        -17.001  (可変)
16*       -24.185    1.00   1.53113    55.8   0.693
17*       220.737  (可変)
18          ∞       1.75   1.51633    64.1   0.869
19          ∞       3.07
像面        ∞   
非球面データ
第8面
K =-8.81589e+000  A 4=-3.13759e-004  A 6=-3.17067e-006  A 8=-7.41928e-008  A10= 5.69305e-010  
第9面
K =-2.00679e+001  A 4=-5.67560e-004  A 6= 2.46792e-005  A 8=-7.38818e-007  A10= 1.39136e-008  
第16面
K = 1.86062e+001  A 4= 2.45476e-003  A 6=-1.35883e-005  
第17面
K = 3.04468e+003  A 4= 2.66085e-003  A 6= 1.35467e-005  
各種データ
ズーム比      3.40 
広角     中間     望遠
焦点距離       2.99     5.15    10.17  
Fナンバー      1.44     1.67     2.49  
半画角        46.86    31.84    17.45  
像高           3.19     3.19     3.19  
レンズ全長    54.59    43.33    39.36  
BF             6.67     6.67     6.67  
d 6           16.58     5.32     1.35  
d 7            8.62     6.34     1.00  
d15            1.40     3.69     9.02  
d17            2.44     2.44     2.44  
ズームレンズ群データ
群  始面    焦点距離  
1    1      -8.11  
2    8      10.15  
3   16     -40.98  
【符号の説明】
【０１３５】
Ｌ１  第１レンズ群、Ｌ２  第２レンズ群、Ｌ３  第３レンズ群、
ＳＰ  絞り又は光量調整装置、Ｐ  ガラスブロック、Ｉ  像面、
Ｆｎｏ  Ｆナンバー、ω  半画角、Ｓ  サジタル像面、Ｍ  メリジオナル像面
【図１】
2020204637.tif 000004
【図２（Ａ）】
2020204637.tif 000005
【図２（Ｂ）】
2020204637.tif 000006
【図２（Ｃ）】
2020204637.tif 000007
【図３】
2020204637.tif 000008
【図４（Ａ）】
2020204637.tif 000009
【図４（Ｂ）】
2020204637.tif 000010
【図４（Ｃ）】
2020204637.tif 000011
【図５】
2020204637.tif 000012
【図６（Ａ）】
2020204637.tif 000013
【図６（Ｂ）】
2020204637.tif 000014
【図６（Ｃ）】
2020204637.tif 000015
【図７】
2020204637.tif 000016
【図８（Ａ）】
2020204637.tif 000017
【図８（Ｂ）】
2020204637.tif 000018
【図８（Ｃ）】
2020204637.tif 000019
【図９】
2020204637.tif 000020
【図１０（Ａ）】
2020204637.tif 000021
【図１０（Ｂ）】
2020204637.tif 000022
【図１０（Ｃ）】
2020204637.tif 000023
【図１１】
2020204637.tif 000024
【図１２（Ａ）】
2020204637.tif 000025
【図１２（Ｂ）】
2020204637.tif 000026
【図１２（Ｃ）】
2020204637.tif 000027
【図１３】
2020204637.tif 000028